(57)【特許請求の範囲】
【請求項１】
画像形成装置に形成された第１の装着部および第２の装着部の少なくとも一方に対して着脱可能に構成され、
本体と、
第１の色のトナーを収容する第１のトナーカートリッジが装着された第１の装着状態において第１の態様で前記本体に保持され、前記第１の色と異なる第２の色のトナーを収容する第２のトナーカートリッジが装着された第２の装着状態において前記第１の態様と第２の態様との間で可逆的に変位可能に前記本体に保持される変位部材と
を含み、
前記第１の装着状態にあるとき、前記変位部材は前記第１の装着部への装着を妨げると共に前記第２の装着部への装着を許容し、
前記第２の装着状態にあるとき、前記変位部材は前記第１の装着部への装着を許容する
現像ユニット。
【請求項２】
前記第２の装着状態にあるとき、前記変位部材は前記第１の装着部への装着を許容すると共に前記第２の装着部への装着をも許容する
請求項１記載の現像ユニット。
【請求項３】
前記変位部材は、第１の回転軸を中心として第１の回転方向および前記第１の回転方向と反対の第２の回転方向の双方に回転可能に構成された回転部材であり、
前記第１の態様は、前記変位部材が前記第１の回転方向へ回転し、前記変位部材の少なくとも一部が前記本体から突出している態様である
請求項１または請求項２記載の現像ユニット。
【請求項４】
前記第１のトナーカートリッジは突起部を有し、
前記第１の態様において、前記突起部は前記回転部材の前記第２の回転方向への回転を規制するように構成されている
請求項３記載の現像ユニット。
【請求項５】
前記第１の態様において、前記回転部材は前記突起部と当接している
請求項４記載の現像ユニット。
【請求項６】
前記回転部材を前記第１の回転方向へ付勢する付勢部材をさらに含む
請求項３から請求項５のいずれか１項に記載の現像ユニット。
【請求項７】
前記第１の装着部に装着された第１の被装着状態において前記変位部材は前記第１の態様で前記画像形成装置に保持され、
前記第２の装着部に装着された第２の被装着状態において前記変位部材は前記第２の態様で前記画像形成装置に保持される
請求項１から請求項３のいずれか１項に記載の現像ユニット。
【請求項８】
第１の色のトナーを収容する第１のトナーカートリッジおよび前記第１の色と異なる第２の色のトナーを収容する第２のトナーカートリッジが選択的に着脱可能に構成された現像ユニットと、
前記現像ユニットが着脱可能に構成された第１の装着部および第２の装着部を有する筐体と
を備え、
前記現像ユニットは、
第１の本体と、
前記第１のトナーカートリッジが前記現像ユニットに装着された第１の装着状態において第１の態様で前記第１の本体に保持され、前記第２のトナーカートリッジが前記現像ユニットに装着された第２の装着状態において前記第１の態様と第２の態様との間で可逆的に変位可能に前記第１の本体に保持される変位部材とを含み、
前記第１の装着状態にあるとき、前記変位部材は前記第１の装着部への前記現像ユニットの装着を妨げると共に前記第２の装着部への前記現像ユニットの装着を許容し、
前記第２の装着状態にあるとき、前記変位部材は前記第１の装着部への前記現像ユニットの装着を許容する
画像形成装置。
【請求項９】
前記第２の装着状態にあるとき、前記変位部材は前記第１の装着部への前記現像ユニットの装着を許容すると共に前記第２の装着部への前記現像ユニットの装着をも許容する
請求項８記載の画像形成装置。
【発明の詳細な説明】
【技術分野】
【０００１】
本発明は、現像ユニット、画像形成ユニットおよび画像形成装置に関する。
【背景技術】
【０００２】
例えば電子写真方式を用いて媒体上に画像を形成する画像形成装置は、トナーカートリッジが着脱可能に構成された現像ユニットを備えている。トナーカートリッジはトナーを収容し、現像ユニットへトナーを供給するものである（例えば特許文献１参照）。
【先行技術文献】
【特許文献】
【０００３】
【特許文献１】特開２０１５−６８８４３号公報
【発明の概要】
【発明が解決しようとする課題】
【０００４】
上記のような画像形成装置においては、所定の位置に所定の色以外の色のトナーカートリッジが装着されると、良好な画像形成がなされないおそれがある。
【０００５】
本開示はかかる問題点に鑑みてなされたもので、その目的は、良好な画像形成を行うことのできる画像形成装置、ならびにそれに好適に搭載される現像ユニットおよび画像形成ユニットを提供することにある。
【課題を解決するための手段】
【０００６】
本発明の一実施形態としての現像ユニットは、画像形成装置に形成された第１の装着部および第２の装着部の少なくとも一方に対して着脱可能に構成され、本体と、変位部材とを含む。変位部材は、第１の色のトナーを収容する第１のトナーカートリッジが装着された第１の装着状態において第１の態様で本体に保持され、第１の色と異なる第２の色のトナーを収容する第２のトナーカートリッジが装着された第２の装着状態において第１の態様と第２の態様との間で可逆的に変位可能に本体に保持される。変位部材は、第１の装着状態にあるとき、第１の装着部への装着を妨げると共に第２の装着部への装着を許容し、第２の装着状態にあるとき、第１の装着部への装着を許容する。
【０００７】
本発明の一実施形態としての現像ユニットでは、第１のトナーカートリッジが装着された第１の装着状態においては、変位部材が第１の態様で本体に保持される。このため、第１のトナーカートリッジが装着された現像ユニットは、例えば画像形成装置に装着する際に、画像形成装置のうち、変位部材が第２の態様である場合に装着可能な装着部には装着できない。すなわち、第１の態様で保持された変位部材を有する現像ユニットは、それが装着されるべきでない装着部に誤装着されてしまうことがない。
【０００８】
本発明の一実施形態としての画像形成ユニットは、トナーカートリッジと、このトナーカートリッジが着脱可能に設けられた現像ユニットとを備える。現像ユニットは、本体と変位部材とを含む。現像ユニットにトナーカートリッジが装着された装着状態において、変位部材は第１の態様で本体に保持される。現像ユニットからトナーカートリッジが離脱した離脱状態において、変位部材は第１の態様と第２の態様との間で可逆的に変位可能に本体に保持される。
【０００９】
本発明の一実施形態としての画像形成ユニットでは、トナーカートリッジが装着された装着状態においては、変位部材が第１の態様で本体に保持される。このため、トナーカートリッジが現像ユニットに装着された画像形成ユニットは、例えば画像形成装置に装着する際に、画像形成装置のうち、変位部材が第２の態様である場合に装着可能な装着位置には装着できない。すなわち、第１の態様で保持された変位部材を有する画像形成ユニットは、それが装着されるべきでない位置に誤装着されてしまうことがない。
【００１０】
本発明の一実施形態としての画像形成装置は、第１の色のトナーを収容する第１のトナーカートリッジおよび第１の色と異なる第２の色のトナーを収容する第２のトナーカートリッジが選択的に着脱可能に構成された現像ユニットと、現像ユニットが着脱可能に構成された第１の装着部および第２の装着部を有する筐体とを備える。現像ユニットは、第１の本体と、第１のトナーカートリッジが現像ユニットに装着された第１の装着状態において第１の態様で第１の本体に保持され、第２のトナーカートリッジが現像ユニットに装着された第２の装着状態において第１の態様と第２の態様との間で可逆的に変位可能に第１の本体に保持される変位部材とを含む。第１の装着状態にあるとき、変位部材は第１の装着部への現像ユニットの装着を妨げると共に第２の装着部への現像ユニットの装着を許容し、第２の装着状態にあるとき、変位部材は第１の装着部への現像ユニットの装着を許容する。
【００１１】
本発明の一実施形態としての画像形成装置では、第１のトナーカートリッジが装着された第１の装着状態においては、変位部材が第１の態様で本体に保持される。このため、第１のトナーカートリッジが装着された現像ユニットは、例えば画像形成装置に装着する際に、画像形成装置のうち、変位部材が第２の態様である場合に装着可能な装着位置には装着できない。すなわち、第１の態様で保持された変位部材を有する現像ユニットは、それが装着されるべきでない位置に誤装着されてしまうことがない。
【発明の効果】
【００１２】
本発明の一実施形態としての現像ユニットによれば、トナーカートリッジの装着状態に応じて変位部材が所定の態様で本体に保持されるように構成されているので、画像形成ユニットおよび画像形成装置に搭載された場合に良好な画像形成を行うことができる。
【図面の簡単な説明】
【００１３】
【図１】本発明の一実施の形態に係る画像形成装置の全体構成例を表す模式図である。
【図２】図１に示した画像形成ユニットの外観を表す斜視図である。
【図３】図２に示したトナーカートリッジの外観を表す斜視図である。
【図４】図２に示した現像ユニットの外観を表す斜視図である。
【図５】図４に示した現像ユニットの要部を拡大して表す斜視図である。
【図６】図４に示した現像ユニットの要部を拡大して表す断面図である。
【図７】図１に示した画像形成ユニットの内部構成を表す模式図である。
【図８】図１に示した画像形成装置に設けられたプレートの外観を表す斜視図である。
【図９】図８に示したプレートと画像形成ユニットとの位置関係を表す斜視図である。
【図１０】図１に示した画像形成装置から取り外した現像ユニットに、第１のトナーカートリッジを装着した状態を表す側面図である。
【図１１】図１０に示した画像形成ユニットを、図８に示した第１の装着部に装着した状態を表す側面図である。
【図１２】図１０に示した画像形成ユニットを、図８に示した第２の装着部に装着しようとした状態を表す側面図である。
【図１３Ａ】図１に示した画像形成装置から取り外した現像ユニットに、第２のトナーカートリッジを装着した状態を表す側面図である。
【図１３Ｂ】図１に示した画像形成装置から取り外した現像ユニットに、第２のトナーカートリッジを装着した状態を表す他の側面図である。
【図１４】図１３Ａに示した画像形成ユニットを、図８に示した第２の装着部に装着した状態を表す側面図である。
【図１５】図８に示した第１の装着部に装着した現像ユニットに、第１または第２のトナーカートリッジを装着した状態を表す側面図である。
【図１６】図８に示した第２の装着部に装着した現像ユニットに、第２のトナーカートリッジを装着した状態を表す側面図である。
【図１７】図８に示した第２の装着部に装着した現像ユニットに、第１のトナーカートリッジを装着しようとした状態を表す側面図である。
【発明を実施するための形態】
【００１４】
以下、本発明の実施の形態について、図面を参照して詳細に説明する。なお、以下の説明は本発明の一具体例であって、本発明は以下の態様に限定されるものではない。また、本発明は、各図に示す各構成要素の配置や寸法、寸法比などについても、それらに限定されるものではない。説明は以下の順序で行う。
１．実施の形態
トナーカートリッジにおける突起部の有無によって変化する態様を示す変位部材を含む現像ユニット、ならびにそれを備えた画像形成ユニットおよび画像形成装置。
２．変形例
【００１５】
＜１．一実施の形態＞
［画像形成装置の全体構成］
図１は、本発明の一実施の形態に係る画像形成装置の全体構成例を模式的に表したものである。この画像形成装置は、本発明の「画像形成装置」の一具体例に対応し、例えば用紙やフィルムなどの印刷対象となる媒体ＰＭに対して、電子写真方式を用いて画像（例えばカラー画像）を形成するプリンタである。この画像形成装置は、筐体１００の内部に、媒体供給部１、搬送部２、画像形成部３、転写部４、定着部５、排出部６および制御部７を備える。制御部７は、媒体供給部１、搬送部２、画像形成部３、転写部４、定着部５および排出部６の動作を制御する。
【００１６】
なお、本明細書では、媒体ＰＭが搬送される通路を搬送路という。搬送路において、任意の構成要素から見て媒体供給部１へ向かう方向または媒体供給部１により近い位置を上流という。搬送路において、任意の構成要素から見て媒体供給部１へ向かう方向とは反対の方向または媒体供給部１からより離れた位置を下流という。搬送路において、媒体ＰＭが進行する方向（つまり、上流から下流に向かう方向）を搬送方向Ｆという。搬送路を搬送される媒体ＰＭと平行な方向であって、かつ、搬送方向Ｆと直交する方向（例えば、図１のＸ軸方向）を幅方向という。搬送方向Ｆにおける寸法を長さと呼び、幅方向における寸法を幅と呼ぶ。
【００１７】
（媒体供給部１）
媒体供給部１は、媒体ＰＭを１枚ずつ搬送部２へ供給するものである。媒体供給部１は、例えば、カセット１Ａと、ピックアップローラ１Ｂと、フィードローラ１Ｃとを有する。カセット１Ａには、複数の媒体ＰＭが積層された状態で収容される。カセット１Ａは、例えば、画像形成装置の下部に着脱自在に装着されている。ピックアップローラ１Ｂおよびフィードローラ１Ｃは、カセット１Ａに収容された媒体ＰＭを搬送部２へ至る搬送路へ順次繰り出すように機能する。ピックアップローラ１Ｂおよびフィードローラ１Ｃは、制御部７による制御を受けて、媒体ＰＭが下流の搬送部２へ向けて繰り出される向きに回転動作するようになっている。ピックアップローラ１Ｂは、最上層の媒体ＰＭの上面に接し得る位置に配置されている。フィードローラ１Ｃは、ピックアップローラ１Ｂの下流に配置されている。
【００１８】
（搬送部２）
搬送部２は、媒体供給部１からの媒体ＰＭを、斜行規制しつつ転写部４へ搬送するものである。搬送部２は、例えば、２組のレジストローラ対２Ａ，２Ｂを有する。
【００１９】
（画像形成部３）
画像形成部３は、搬送部２から搬送されてきた媒体ＰＭにトナー像IMGを形成するものである（後出の図７参照）。画像形成部３は、例えば、図１に示したように、４つの画像形成ユニット３０Ｙ，３０Ｍ，３０Ｃ，３０Ｋを有する。画像形成ユニット３０Ｙ，３０Ｍ，３０Ｃ，３０Ｋは、それぞれ対応する各色のトナー、すなわち、イエロートナー、マゼンタトナー、シアントナーおよびブラックトナーを用いて、各色のトナー像（画像）IMGを形成するものである。画像形成部３では、例えば、搬送方向Ｆに沿って上流から下流へ向かって、画像形成ユニット３０Ｋ、画像形成ユニット３０Ｃ、画像形成ユニット３０Ｍ、画像形成ユニット３０Ｙの順に配置されている。なお、本明細書では、４つの３０Ｙ，３０Ｍ，３０Ｃ，３０Ｋを区別しない場合は総括して画像形成ユニット３０と記載する。画像形成ユニット３０は、本発明の「画像形成ユニット」に対応する一具体例である。
【００２０】
このようなトナーは、例えば、所定の着色剤、離型剤、帯電制御剤および処理剤等を含んで構成されており、これらの各成分が適宜混合され、あるいは表面処理されることによって製造されるようになっている。これらのうち、着色剤、離型剤および帯電制御材はそれぞれ、内部添加剤として機能する。外部添加剤としては、例えばシリカや酸化チタン等が用いられ、結着樹脂としては例えばポリエステル樹脂等が用いられる。また、着色剤としては、染料や顔料等を単独、もしくは、複数種併用して使用することができる。なお、画像形成ユニット３０の詳細については後述する。
【００２１】
（転写部４）
転写部４は、転写ベルトユニットとも呼ばれるものである。転写部４は、転写ベルト４Ａと、この転写ベルト４Ａを駆動する駆動ローラ４Ｂと、この駆動ローラ４Ｂに従動するアイドルローラ４Ｃと、転写ベルト４Ａを挟んで感光ドラム５１と対向して配置された転写ローラ４Ｄとを有する。駆動ローラ４Ｂおよびアイドルローラ４Ｃは、それぞれ、幅方向に延在する回転軸部を中心として回転可能な略円柱状の部材である。転写部４は、搬送部２から搬送される媒体ＰＭを搬送方向Ｆに沿って搬送するとともに、各画像形成ユニット３０Ｙ，３０Ｍ，３０Ｃ，３０Ｋにおいて形成されるトナー像IMGを、媒体ＰＭの表面に順次転写する機構である。
【００２２】
転写ベルト４Ａは、例えば、ポリイミド樹脂などの樹脂材料からなる無端の弾性ベルトである。転写ベルト４Ａは、駆動ローラ４Ｂおよびアイドルローラ４Ｃによって張設（張架）されている。駆動ローラ４Ｂは、制御部７の制御に基づき、媒体ＰＭが搬送される向きに回転駆動され、転写ベルト４Ａを循環回転させるものである。駆動ローラ４Ｂは、画像形成ユニット３０よりも上流側に配置されている。アイドルローラ４Ｃは、付勢部材による付勢力により、転写ベルト４Ａに負荷される張力を調整するものである。アイドルローラ４Ｃは、駆動ローラ４Ｂと同方向へ回転するようになっており、画像形成ユニット３０よりも下流側に配置されている。
【００２３】
転写ローラ４Ｄは、感光ドラム５１と逆方向に回転することで媒体ＰＭを搬送方向Ｆに沿って搬送しつつ、各画像形成ユニット３０Ｙ，３０Ｍ，３０Ｃ，３０Ｋ内で形成されたトナー像IMGを媒体ＰＭ上に静電的に転写するための部材である。転写ローラ４Ｄは、例えば、発泡性の半導電性弾性ゴム材により構成されている。
【００２４】
（定着部５）
定着部５は、転写部４を通過した媒体ＰＭ上に転写されたトナー像IMGに対し熱および圧力を付与することで、そのトナー像IMGを媒体ＰＭ上に定着させるための部材である。定着部５は、例えば、上部ローラ５Ａと下部ローラ５Ｂとを含んで構成されている。
【００２５】
上部ローラ５Ａおよび下部ローラ５Ｂは、各々の内部にハロゲンランプ等の加熱ヒータである熱源を含んで構成されており、媒体ＰＭ上のトナー像IMGに対して熱を付与する加熱ローラとして機能する。上部ローラ５Ａは、制御部７による制御を受けて、媒体ＰＭが搬送される向きに回転動作するようになっている。上部ローラ５Ａおよび下部ローラ５Ｂ内の熱源は、制御部７により制御されるバイアス電圧の供給を受け、上部ローラ５Ａおよび下部ローラ５Ｂの各表面温度を制御するようになっている。下部ローラ５Ｂは、上部ローラ５Ａとの間に圧接部が形成されるように上部ローラ５Ａと対向して配置されており、媒体ＰＭ上のトナー像IMGに対して圧力を付与する加圧ローラとして機能する。下部ローラ５Ｂは、弾性体材料からなる表面層を有するとよい。
【００２６】
（排出部６）
排出部６は、定着部５によってトナー像IMGが定着された媒体ＰＭを外部に排出するものである。排出部６は、例えば、搬送ローラ６Ａ，６Ｂを有する。搬送ローラ６Ａ，６Ｂは、搬送路を介して媒体ＰＭを外部に排出し、外部のスタッカ１００Ａにストックさせるようになっている。搬送ローラ６Ａ，６Ｂは、制御部７による制御を受けて、媒体ＰＭが搬送される向きに回転動作するようになっている。
【００２７】
［画像形成ユニット３０の構成］
次に、画像形成ユニット３０の詳細な構成について説明する。
【００２８】
図２に示したように、画像形成ユニット３０は、トナーカートリッジ３１と、そのトナーカートリッジ３１が装着される現像ユニット３２とを有する。なお、図２は、画像形成ユニット３０の外観を表す斜視図である。画像形成ユニット３０は、現像ユニット３２からトナーカートリッジ３１が離脱した離脱状態と、現像ユニット３２にトナーカートリッジ３１が装着された装着状態との間の状態移行が可能に構成されている。
【００２９】
(トナーカートリッジ３１)
図３は、トナーカートリッジ３１Ｍ，３１Ｃ，３１Ｋの外観を表している。トナーカートリッジ３１Ｍ，３１Ｃ，３１Ｋは、その内部にマゼンタトナー，シアントナーおよびブラックトナーがそれぞれ収容された容器である。なお、トナーカートリッジ３１Ｙは、その内部にイエロートナーが収容された容器であり、後述のロックアウトピン２３が設けられていないことを除き、他はトナーカートリッジ３１Ｍ，３１Ｃ，３１Ｋと同様の構成を有している。したがって、ここではロックアウトピン２３に関する説明を除き、他の部分についてはトナーカートリッジ３１Ｙ，３１Ｍ，３１Ｃ，３１Ｋの区別をせずに単にトナーカートリッジ３１と記載して説明する。
【００３０】
トナーカートリッジ３１は、内部にトナーを収容可能な、幅方向（Ｘ軸方向）に延在する筒状のトナー収容部２０と、回転部材２１と、レバー２２とを有している。トナーカートリッジ３１Ｍ，３１Ｃ，３１Ｋは、ロックアウトピン２３（以下、単にピン２３という。）をさらに有している。回転部材２１は、トナー収容部２０の内部に収容された一端部分と、トナー収容部２０における幅方向の一端から外部へ露出した他端部分とを含んでいる。ピン２３は、回転部材２１の、Ｘ軸方向の端面２１Ｔに立設されており、＋Ｘ方向へ突出している。回転部材２１における端面２１Ｔには、＋Ｘ方向へ突出したポスト２４がさらに設けられている。ポスト２４は、トナーカートリッジ３１が現像ユニット３２に装着された装着状態において、後述する係止部１５に係止されるようになっている。レバー２２は、回転部材２１に固定されている。さらに、トナー収容部２０の下部には、トナー排出口２０Ｋ（後出の図７参照）が設けられている。トナー排出口２０Ｋは、装着状態において、現像ユニット３２のトナー投入口３３Ｋと対向することとなる位置に配置される。回転部材２１は、レバー２２の矢印Ｒ２２に沿った回転操作により、Ｘ軸に沿った回転軸２１Ｊを回転中心としてトナー収容部２０に対し所定の角度範囲で回転可能に構成されている。回転部材２１は、幅方向に沿った回転軸２１Ｊを回転中心として回転することにより、トナー排出口２０Ｋの開閉を行うようになっている。
【００３１】
（現像ユニット３２）
図４は、現像ユニット３２の外観を表す斜視図である。図５は、図４において破線Ｖで囲んだ部分を拡大して表す斜視図である。図６は、図５に示した部分の、矢印ＩＶと直交する断面の構成を表している。トナーカートリッジ３１Ｍ，３１Ｃ，３１Ｋがそれぞれ装着される現像ユニット３２は、互いに実質的に同一の構造を有していることが望ましい。現像ユニット３２は筐体３３と、その筐体３３の幅方向における両端に設けられた一対の支持板１０Ａ，１０Ｂとを有している。ここで、筐体３３と一対の支持板１０Ａ，１０Ｂとを合わせたものが本発明の「本体」に対応する一具体例である。一対の支持板１０Ａ，１０Ｂの一部は筐体３３から上方（＋Ｚ方向）へ突出しており、互いに対向している。筐体３３の上部には、トナーカートリッジ３１から排出されたトナーが投入されるトナー投入口３３Ｋ（図７参照）が設けられている。支持板１０Ａの、支持板１０Ｂと対向する対向面には、支持板１０Ｂへ向かうように突出するポスト１４が設けられている。一方、支持板１０Ｂの、支持板１０Ａと対向する対向面には、係止部１５が設けられている。ポスト１４はトナー収容部２０を固定的に支持するものであり、係止部１５は回転部材２１を回転可能に支持するものである。さらに、支持板１０Ａ，１０Ｂの外面には、それぞれ、ポスト１１およびポスト１２が立設している。
【００３２】
また、支持板１０Ｂには、ロックアウトブロック（以下、単にブロックという。）１３が設けられている。ブロック１３は、「第１の態様」と「第２の態様」との間で可逆的に変位可能に筐体３３によって保持されたものであり、本発明の「変位部材」に対応する一具体例である。ブロック１３は、回転軸１３Ｊを中心として矢印Ｙ１３Ａの方向（第１の回転方向）およびそれと反対の矢印Ｙ１３Ｂの方向（第２の回転方向）の双方に回転可能に構成された回転部材である。ブロック１３は、現像ユニット３２にトナーカートリッジ３１Ｍ，３１Ｃ，３１Ｋが装着された第１の装着状態において、「第１の態様」で筐体３３に保持されるようになっている。ブロック１３は、現像ユニット３２にトナーカートリッジ３１Ｙが装着された第２の装着状態において、「第１の態様」と「第２の態様」との間で可逆的に変位可能に筐体３３に保持されるようになっている。「第１の態様」とは、例えばブロック１３が矢印Ｙ１３Ａの方向へ回転し、ブロック１３の少なくとも一部（例えば端部１３Ａ）が支持板１０Ｂから外側（支持板１０Ａと反対側）へ突出している態様である（図６参照）。一方、「第２の態様」とは、ブロック１３が矢印Ｙ１３Ｂの方向へ回転し、ブロック１３の端部１３Ａが支持板１０Ｂから突出していないか、あるいは支持板１０Ｂからの端部１３Ａの突出量が「第１の態様」と比較して小さい態様である。「第２の態様」では、ブロック１３の端部１３Ｂが支持板１０Ｂの内側（支持板１０Ａに近い側）に突出した状態となっている。
【００３３】
既に述べたように、トナーカートリッジ３１Ｍ，３１Ｃ，３１Ｋはピン２３を有している。「第１の態様」において、ブロック１３はピン２３と当接した状態となる。
【００３４】
図６に示したように、現像ユニット３２は、ブロック１３を矢印Ｙ１３Ａの方向へ付勢する本発明の「付勢部材」に対応する一具体例としてのトーションばね１６をさらに含んでいる。ブロック１３は、トーションばね１６の付勢力以外の外力が印加されていない無負荷状態において、トーションばね１６の付勢力により「第１の態様」で保持される。
【００３５】
図７は、画像形成ユニット３０の内部構成を表したものである。なお、図７には、転写部４の一部の構成要素（転写ローラ４Ｄ）も併せて示す。現像ユニット３２は、筐体３３の内部に、感光ドラム５１、帯電ローラ５２、現像ローラ３５、供給ローラ３６、クリーニングブレード３７、廃トナー搬送スパイラル３８およびドクターブレード３９を有している。現像ユニット３２は、さらに、筐体３３の外部から感光ドラム５１に対して露光可能に設けられた露光装置５３を有している。
【００３６】
感光ドラム５１は、静電潜像を表面（表層部分）に担持可能な円柱状の部材であり、感光体（例えば有機系感光体）を用いて構成されている。具体的には、感光ドラム５１は、導電性支持体と、その外周（表面）を覆う感光層（光導電層）とを有する。導電性支持体は、例えば、アルミニウムからなる金属パイプにより構成されている。光導電層は、例えば、電荷発生層および電荷輸送層を順に積層した構造を有する。感光ドラム５１は、制御部７による制御を受け、媒体ＰＭが搬送される向き（矢印Ｒ５１の向き）に所定の周速度で回転動作するようになっている。
【００３７】
帯電ローラ５２は、感光ドラム５１の表層部分（感光層）を帯電させる部材（帯電部材）であり、感光ドラム５１の表面に接するように配置されている。帯電ローラ５２は、例えば、金属シャフトと、その外周（表面）を覆う半導電性ゴム層（例えば、半導電性エピクロロヒドリンゴム層）とを有している。帯電ローラ５２は、制御部７による制御を受け、感光ドラム５１と例えば同じ向きに回転動作するようになっている。
【００３８】
露光装置５３は、感光ドラム５１の表層部分（感光層）を露光することにより、感光ドラム５１の表層部分（感光層）に静電潜像を形成するものである。露光装置５３は、１つの感光ドラム５１に対し、例えば幅方向に並ぶ複数個のＬＥＤ（Light Emitting Diode）発光部を有する。各ＬＥＤ発光部は、例えば、照射光を発する発光ダイオードなどの光源と、その照射光を感光ドラム５１の表面に結像させるレンズアレイとを含んで構成されている。
【００３９】
現像ローラ３５は、静電潜像を現像するトナーを表面に担持する部材であり、感光ドラム５１の表面（周面）に接するように配置されている。現像ローラ３５は、例えば、金属シャフトと、その外周（表面）を覆う半導電性ウレタンゴム層とを有している。現像ローラ３５は、制御部７による制御を受け、感光ドラム５１とは逆向き（矢印Ｒ３５の向き）に所定の周速度で回転動作するようになっている。
【００４０】
供給ローラ３６は、現像ローラ３５に対してトナーを供給するための部材（供給部材）であり、現像ローラ３５の表面（周面）に接するように配置されている。供給ローラ３６は、例えば、金属シャフトと、その外周（表面）を覆う発泡性のシリコーンゴム層とを有している。供給ローラ３６は、制御部７による制御を受け、現像ローラ３５とは逆向き（矢印Ｒ３６の向き）に回転動作するようになっている。
【００４１】
クリーニングブレード３７は、感光ドラム５１の表面に残留したトナーを掻き取るものである。クリーニングブレード３７は、例えば、可撓性のゴム材またはプラスチック材からなる。
【００４２】
廃トナー搬送スパイラル３８は、例えばスパイラル状の羽根をシャフトの周囲に立設させたものであり、制御部７による制御を受けて例えば矢印Ｒ３８の方向に回転する部材である。廃トナー搬送スパイラル３８は、回転することにより、クリーニングブレード３７により掻き取られたトナーを＋Ｘ方向へ搬送するように機能する。
【００４３】
ドクターブレード３９は、現像ローラ３５の表面に付着するトナーの付着量を規制する部材である。
【００４４】
［筐体１００の構造］
画像形成装置の筐体１００の両側面には、画像形成ユニット３０が装着される一対のプレート４０が設けられている。図８は、一のプレート４０の外観を表す斜視図であり、図９は、画像形成ユニット３０が画像形成装置の筐体１００に装着された状態における、画像形成ユニット３０とプレート４０との位置関係を表した斜視図である。一対のプレート４０は、例えば幅方向（Ｘ軸方向）において画像形成ユニット３０を挟むように対向配置され、互いに実質的に左右対称の構造を有している。すなわち、画像形成ユニット３０が画像形成装置の筐体１００に装着された状態において、一対のプレート４０のうちの一方は支持基板１０Ａと対向して配置され、一対のプレート４０のうちの他方は支持板１０Ｂと対向して配置される。図８および図９では、一対のプレート４０のうち、支持板１０Ｂと対向して配置されるプレート４０のみを表している。
【００４５】
プレート４０は、図８および図９に示したように、例えば４つの装着部Ｐ１〜Ｐ４を有している。装着部Ｐ１〜Ｐ４は、それぞれ現像ユニット３２が装着可能に構成されている。
【００４６】
装着部Ｐ１には、溝４１Ｙおよび溝４２Ｙが設けられている。同様に、装着部Ｐ２には溝４１Ｍおよび溝４２Ｍが設けられ、装着部Ｐ３には溝４１Ｃおよび溝４２Ｃが設けられ、装着部Ｐ４には溝４１Ｋおよび溝４２Ｋが設けられている。溝４１Ｙ，４１Ｍ，４１Ｃ，４１Ｋの深さは、溝４２Ｙ，４２Ｍ，４２Ｃ，４２Ｋの深さよりも深い。すなわち溝４１Ｙ，４１Ｍ，４１Ｃ，４１Ｋの各々の最深部４１ＹＥ，４１ＭＥ，４１ＣＥ，４１ＫＥは、溝４２Ｙ，４２Ｍ，４２Ｃ，４２Ｋの各々の最深部４２ＹＥ，４２ＭＥ，４２ＣＥ，４２ＫＥよりも下方に位置する。また、溝４２Ｙにおける上端付近の幅Ｗ４２Ｙは、溝４１Ｍ，４１Ｃ，４１Ｋのそれぞれにおける上端付近の幅Ｗ４２Ｍ，Ｗ４２Ｃ，Ｗ４２Ｋよりも狭い。
【００４７】
装着部Ｐ１〜Ｐ４には、例えば現像ユニット３２が上方から下方へ向けて（矢印Ｙ８の方向へ）挿入されて装着されるようになっている。ここで、溝４１Ｙ，４１Ｍ，４１Ｃ，４１Ｋには現像ユニット３２のポスト１１がそれぞれ挿入され、溝４２Ｙ，４２Ｍ，４２Ｃ，４２Ｋには現像ユニット３２のポスト１２がそれぞれ挿入されるようになっている。現像ユニット３２が装着部Ｐ１〜Ｐ４に装着された被装着状態において、各ポスト１１は最深部４１ＹＥ，４１ＭＥ，４１ＣＥ，４１ＫＥにより係止された状態となり、各ポスト１２は最深部４２ＹＥ，４２ＭＥ，４２ＣＥ，４２ＫＥにより係止された状態となる。さらに、溝４２Ｍ，４２Ｃ，４２Ｋには、支持板１０Ｂの外側へ突出したブロック１３の端部１３Ａも挿入されるようになっている。
【００４８】
ところで、装着部Ｐ１に装着された現像ユニット３２では、ブロック１３が「第２の態様」でプレート４０により保持される。このため、装着部Ｐ１に装着された現像ユニット３２には、トナーカートリッジ３１Ｍ，３１Ｃ，３１Ｋを装着することはできないようになっている。「第２の態様」で保持されたブロック１３の端部１３Ｂが支持板１０Ｂの内側に突出した状態となっており、トナーカートリッジ３１Ｍ，３１Ｃ，３１Ｋに設けられたピン２３と干渉するためである。したがって、装着部Ｐ１に装着された現像ユニット３２には、ピン２３を有しないトナーカートリッジ３１Ｙのみが装着可能となる。一方、装着部Ｐ２〜Ｐ４に装着された現像ユニット３２では、ブロック１３が「第１の態様」でプレート４０に保持される。このため、装着部Ｐ２〜Ｐ４に装着された現像ユニット３２には、ピン２３の有無によらず、トナーカートリッジ３１Ｙ，３１Ｍ，３１Ｃ，３１Ｋのいずれであっても装着可能である。
【００４９】
また、装着部Ｐ１〜Ｐ４には、予めトナーカートリッジ３１が装着された現像ユニット３２、すなわち画像形成ユニット３０を装着することもできるようになっている。但し、装着部Ｐ１には、トナーカートリッジ３１Ｙが装着された現像ユニット３２を有する画像形成ユニット３０Ｙのみが装着可能である。すなわち、トナーカートリッジ３１Ｍ，３１Ｃ，３１Ｋが装着された現像ユニット３２を有する画像形成ユニット３０Ｍ，３０Ｃ，３０Ｋは、装着部Ｐ１には装着できず、装着部Ｐ２〜Ｐ４のいずれかのみに装着できるようになっている。画像形成ユニット３０Ｍ，３０Ｃ，３０Ｋでは、トナーカートリッジ３１Ｍ，３１Ｃ，３１Ｋに設けられたピン２３とブロック１３とが当接し、ピン２３がブロック１３の矢印Ｙ１３Ｂの方向への回転を妨げ、ブロック１３が「第１の態様」で保持されるからである。すなわち、「第２の態様」で保持されたブロック１３の端部１３Ａが支持板１０Ｂの外側に突出した状態となっており、端部１３Ａが装着部Ｐ１における溝４２Ｙには挿入されず、プレート４０の上端４３と干渉してしまうからである。これに対し、トナーカートリッジ３１Ｙが装着された現像ユニット３２を有する画像形成ユニット３０Ｙは、装着部Ｐ１〜Ｐ４のいずれであっても装着できるようになっている。画像形成ユニット３０Ｙでは、トナーカートリッジ３１Ｙがピン２３を有しないので、ブロック１３が「第１の態様」と「第２の態様」との間で可逆的に変位可能に支持板１０Ｂによって保持されるからである。なお、トナーカートリッジ３１が現像ユニット３２から離脱した離脱状態においては、ブロック１３は「第１の態様」と「第２の態様」との間で可逆的に変位可能に支持板１０Ｂによって保持される。
【００５０】
ここで、装着部Ｐ２〜Ｐ４が本発明の「第１の装着部」に対応する一具体例であり、現像ユニット３２が装着部Ｐ２〜Ｐ４に装着された状態が本発明の「第１の被装着状態」に対応する一具体例である。一方、装着部Ｐ１が本発明の「第２の装着部」に対応する一具体例であり、現像ユニット３２が装着部Ｐ１に装着された状態が本発明の「第２の被装着状態」に対応する一具体例である。また、トナーカートリッジ３１Ｍ，３１Ｃ，３１Ｋが装着された現像ユニット３２は、本発明の「第１の現像ユニット」に対応する一具体例であり、トナーカートリッジ３１Ｙが装着された現像ユニット３２は、本発明の「第２の現像ユニット」に対応する一具体例である。
【００５１】
［作用・効果］
（Ａ．基本動作）
この画像形成装置では、以下のようにして、媒体ＰＭに対してトナー像IMGが転写される。
【００５２】
起動状態の画像形成装置に対してＰＣなどの外部機器から印刷画像データおよび印刷命令が制御部７に入力されると、制御部７は、印刷命令に応じて印刷画像データの印刷動作を開始させる。
【００５３】
例えば図１に示したように、カセット１Ａに収容されている媒体ＰＭがピックアップローラ１Ｂによって最上部から１枚ずつピックアップされ、フィードローラ１Ｃによって斜行が矯正されつつ下流の搬送部２へ繰り出される。次いで、媒体ＰＭは２組のレジストローラ対２Ａ，２Ｂにより画像形成部３へ搬送される。画像形成部３では、以下のようにしてトナー像IMGが媒体ＰＭ上に転写される。
【００５４】
画像形成部３では、制御部７の印刷命令により、以下の電子写真プロセスによって各色のトナー像IMGが形成される。具体的には、制御部７は、トナーカートリッジ３１のトナー収容部２０に収容されたトナーを現像ユニット３２の筐体３３の内部へ投入すると共に、感光ドラム５１を矢印Ｒ５１の方向へ一定速度で回転させる。これに伴い、帯電ローラ５２、現像ローラ３５および供給ローラ３６も所定の方向に回転動作を開始することとなる。
【００５５】
一方、制御部７は、各色の帯電ローラ５２に対し所定の電圧を印加し、各色の感光ドラム５１の表面を一様に帯電させる。次いで、制御部７は露光装置５３を起動し、画像信号に基づく印刷画像の色成分に対応する光を各色の感光ドラム５１へ各々照射し、各色の感光ドラム５１の表面に静電潜像をそれぞれ形成する。
【００５６】
トナーは供給ローラ３６を介して現像ローラ３５へ供給され、現像ローラ３５の表面に担持される。現像ローラ３５は感光ドラム５１上に形成された静電潜像にトナーを付着させトナー像IMGを形成する。さらに、転写部４における転写ローラ４Ｄに所定の電圧が印加され、感光ドラム５１と転写ローラ４Ｄとの間に電界が発生する。その状態で感光ドラム５１と転写ローラ４Ｄとの間を媒体ＰＭが走行すると、その媒体ＰＭ上に、感光ドラム５１に形成されたトナー像IMGが転写される。
【００５７】
そののち、媒体ＰＭ上のトナー像IMGは、定着部５において熱および圧力が付与されることで媒体ＰＭに定着させられる。最後に排出部６によりトナー像IMGが定着した媒体ＰＭが画像形成装置の外部のスタッカ１００Ａに排出される。
【００５８】
（Ｂ．トナーカートリッジ３１および現像ユニット３２の装着操作について）
ここで、本実施の形態の画像形成装置へのトナーカートリッジ３１および現像ユニット３２の装着操作について、図１０〜図１７を参照して説明する。
【００５９】
まず、現像ユニット３２に予めトナーカートリッジ３１を装着した画像形成ユニット３０を画像形成装置に装着する操作について説明する。現像ユニット３２にトナーカートリッジ３１Ｍ，３１Ｃ，３１Ｋを装着した「第１の装着状態」では、現像ユニット３２におけるブロック１３は「第１の態様」で保持される。図１０に示したように、ブロック１３の端部１３Ｂがピン２３の先端と当接した状態となるからである。したがって、画像形成ユニット３０Ｍ，３０Ｃ，３０Ｋでは、ブロック１３は矢印Ｙ１３Ｂの方向には回転することができず、ブロック１３の端部１３Ａが支持板１０Ｂの外側へ突出した状態となっている。このため、図１１に示したように、ポスト１２とブロック１３の端部１３Ａとの双方が挿入可能な溝４２Ｍ，４２Ｃ，４２Ｋをそれぞれ有する装着部Ｐ２〜Ｐ４には画像形成ユニット３０Ｍ，３０Ｃ，３０Ｋを装着できる。しかし、図１２に示したように、幅の狭い溝４２Ｙを有する装着部Ｐ１には画像形成ユニット３０Ｍ，３０Ｃ，３０Ｋを装着することはできない。突出したブロック１３の端部１３Ａが、プレート４０の上端４３と干渉してしまうからである。
【００６０】
一方、現像ユニット３２にトナーカートリッジ３１Ｙを装着した「第２の装着状態」では、現像ユニット３２におけるブロック１３は「第１の態様」と「第２の態様」との間で可逆的に変位可能に筐体３３に保持される。図１３Ａに示したように、ピン２３が存在しないので、ブロック１３の端部１３Ｂがトナーカートリッジ３１Ｙと当接しないからである。したがって、図１３Ｂに示したように、画像形成ユニット３０Ｙではブロック１３を矢印Ｙ１３Ｂの方向にも回転することができ、支持板１０Ｂの外側への端部１３Ａの突出量を小さくすることができる。このため、図１４に示したように、幅の狭い溝４２Ｙを有する装着部Ｐ１にも画像形成ユニット３０Ｙを装着することができる。ブロック１３の端部１３Ａが支持板１０Ｂの内側へ向かって退避でき、ブロック１３の端部１３Ａとプレート４０の上端４３との干渉が回避できるからである。
【００６１】
次に、現像ユニット３２を予め画像形成装置に装着したのち、トナーカートリッジ３１を現像ユニット３２に装着する操作について説明する。
【００６２】
この場合、装着部Ｐ２〜Ｐ４に装着された現像ユニット３２では、図１５に示したように、ブロック１３の端部１３Ａが支持板１０Ｂの外側へ突出した状態となる。したがって、ピン２３が存在したとしてもピン２３とブロック１３との干渉は生じない。このため、トナーカートリッジ３１Ｙ，３１Ｍ，３１Ｃ，３１Ｋのいずれであっても装着することが可能である。
【００６３】
一方、装着部Ｐ１に装着された現像ユニット３２では、図１６に示したように、ブロック１３の端部１３Ａがプレート４０の内面によって支持板１０Ｂの内側へ付勢され、反対側の端部１３Ｂが支持板１０Ｂの内側へ突出した状態となる。したがって、ピン２３が存在する場合、図１７に示したようにピン２３とブロック１３との干渉が生じてしまう。このため、トナーカートリッジ３１Ｍ，３１Ｃ，３１Ｋは装着できず、トナーカートリッジ３１Ｙのみを装着することができる。
【００６４】
（Ｃ．画像形成装置の作用効果）
このように本実施の形態では、現像ユニット３２におけるブロック１３が、トナーカートリッジ３１Ｍ，３１Ｃ，３１Ｋが装着された第１の装着状態と、トナーカートリッジ３１Ｙが装着された第２の装着状態とで異なる態様で筐体３３により保持されるようにした。例えば第１の装着状態においては、ブロック１３は、その端部１３Ａが支持板１０Ｂから外側へ突出した「第１の態様」で支持板１０Ｂに保持される。このため、トナーカートリッジ３１Ｍ，３１Ｃ，３１Ｋが装着された現像ユニット３２は、画像形成装置のうちの装着部Ｐ１には装着できない。すなわち、「第１の態様」で保持されたブロック１３を有する現像ユニット３２は、それが装着されるべきでない位置に誤装着されてしまうことがない。
【００６５】
本実施の形態では、トナーカートリッジ３１を搭載する前の現像ユニット３２であっても、プレート４０の所定の位置にその現像ユニット３２が装着できるようになっている。現像ユニット３２が装着部Ｐ２〜Ｐ４に装着された第１の被装着状態においては、ブロック１３が「第１の態様」で画像形成装置のプレート４０に保持される。一方、装着部Ｐ１に装着された現像ユニット３２（第２の被装着状態）では、ブロック１３が「第２の態様」で画像形成装置のプレート４０に保持される。このため、装着部Ｐ１に装着された現像ユニット３２に対してトナーカートリッジ３１Ｍ，３１Ｃ，３１Ｋを装着することができない。すなわち、装着部Ｐ１に装着された現像ユニット３２に対し、本来装着されるべきでないトナーカートリッジ３１Ｍ，３１Ｃ，３１Ｋを誤装着してしまうことが回避できる。例えばトナーカートリッジ３１Ｙに収容されるイエロートナーは比較的高い耐熱性を有するのに対し、トナーカートリッジ３１Ｍ，３１Ｃ，３１Ｋにそれぞれ収容されるマゼンタトナー，シアントナーおよびブラックトナーには、イエロートナーと比較して熱的安定性に欠けるものが存在する場合がある。したがってその場合、熱源を有する定着部５に最も近い装着部Ｐ１には、トナーカートリッジ３１Ｍ，３１Ｃ，３１Ｋを有する画像形成ユニット３０Ｍ，３０Ｃ，３０Ｋを装着することは避けたほうが望ましい。本実施の形態によれば、機構上、特定のトナーカートリッジ３１を不適切な装着部へ装着するのを防止できる。
【００６６】
また、本実施の形態では、現像ユニット３２が各色共通の構造を有するので、現像ユニット３２についての在庫数削減や在庫数管理の簡素化を図ることができる。現像ユニット３２がトナーカートリッジ３１の構造によって可逆的に変位可能に構成されたブロック１３を有しているので、装着されるトナーカートリッジ３１の色ごとに異なる構造の現像ユニットを用意する必要がないからである。
【００６７】
＜２．変形例＞
以上、実施の形態を挙げて本発明を説明したが、本発明は上記実施の形態に限定されず、種々の変形が可能である。例えば、上記実施の形態では、１次転写方式（直接転写方式）の画像形成装置について説明したが、本発明は２次転写方式にも適用されうる。
【００６８】
また、上記実施の形態では、現像ユニットにおける変位部材として、回転軸１３Ｊを中心として回転するブロック１３を例示したが、本発明はこれに限定されるものではない。例えば、Ｘ軸方向にスライド可能に構成されたスライダであってもよい。上記実施の形態では、「第１の態様」において、ピン２３がブロック１３と当接することによりブロック１３の回転を妨げ、端部１３Ａが支持板１０Ｂから突出した状態とするようにしたが、本発明はこれに限定されるものではない。本発明では、突起部が回転部材の回転を妨げる構造であれば、突起部とが回転部材とが当接する態様に限定されず、他の態様であってもよい。
【００６９】
また、上記実施の形態では、装着部Ｐ１に装着される現像ユニット３２のみが第１の態様で画像形成装置に保持され、装着部Ｐ２〜Ｐ４に装着される現像ユニット３２が第２の態様で画像形成装置に保持されるようにしたが、本発明はこれに限定されるものではない。例えば装着部Ｐ１，Ｐ２に装着される現像ユニット３２が第１の態様で画像形成装置に保持され、装着部Ｐ３，Ｐ４に装着される現像ユニット３２が第２の態様で画像形成装置に保持されるようにしてもよく、そのような態様の割り当ては任意に設定可能である。あるいは、トナーカートリッジ３１においてトナーの色ごとに異なる位置にブロック１３を設置し、トナーの色とトナーカートリッジ３１におけるブロック１３の設置位置との対応づけを行い、特定の装着部に特定の色のトナーカートリッジを有する画像形成ユニット３０のみを装着可能に構成してもよい。例えば装着部Ｐ１には画像形成ユニット３０Ｙのみを装着可能とし、装着部Ｐ２には画像形成ユニット３０Ｍのみを装着可能とし、装着部Ｐ３には画像形成ユニット３０Ｃのみを装着可能とし、装着部Ｐ４には画像形成ユニット３０Ｋのみを装着可能としてもよい。また、本発明は色ごとに装着部を分類する場合に限定されるものではない。例えば同じ色であっても構成材料が異なる場合、その構成材料の相違を装着部の相違と対応付けるようにしてもよい。
【００７０】
また、上記実施の形態では、光源として発光ダイオードを有する露光装置５３を用いるようにしたが、例えばレーザ素子等を光源として用いてもよい。
【００７１】
さらに、上記実施の形態では、本発明における「画像形成装置」の一具体例として、印刷機能を有する画像形成装置について説明したが、これには限られない。すなわち、そのような印刷機能に加え、例えば、スキャン機能やファックス機能を有する複合機として機能する画像形成装置においても、本発明を適用することが可能である。
【００７２】
さらに、上記実施の形態ではブロック１３およびピン２３を現像ユニット３２およびトナーカートリッジ３１の各々の一端にのみ設けるようにしたが、現像ユニット３２およびトナーカートリッジ３１の各々の両端にそれらを設けるようにしてもよい。
【符号の説明】
【００７３】
１…媒体供給部、１Ａ…カセット、１Ｂ…ピックアップローラ、１Ｃ…フィードローラ、２…搬送部、２Ａ，２Ｂ…レジストローラ対、３…画像形成部、３０（３０Ｙ，３０Ｍ，３０Ｃ，３０Ｋ）…画像形成ユニット、３１（３１Ｙ，３１Ｍ，３１Ｃ，３１Ｋ）…トナーカートリッジ、２０…トナー収容部、２１…回転部材、２２…レバー、２３…ピン、２４…ポスト、３２…現像ユニット、１０Ａ，１０Ｂ…支持板、１１，１２，１４…ポスト、１３…ブロック、１５…係止部、１６…トーションばね、３３…筐体、３３１…投入口、３３２…収容室、５１…感光ドラム、５２…帯電ローラ、３５…現像ローラ、３６…供給ローラ、３７…クリーニングブレード、３９…ドクターブレード、４…転写部、４Ａ…転写ベルト、４Ｂ…駆動ローラ、４Ｃ…アイドルローラ、４Ｄ…転写ローラ、５…定着部、６…排出部、７…制御部、１００…筐体、４０…プレート、Ｐ１〜Ｐ４…装着部。  
【図１】
0006630232.tif 000002
【図２】
0006630232.tif 000003
【図３】
0006630232.tif 000004
【図４】
0006630232.tif 000005
【図５】
0006630232.tif 000006
【図６】
0006630232.tif 000007
【図７】
0006630232.tif 000008
【図８】
0006630232.tif 000009
【図９】
0006630232.tif 000010
【図１０】
0006630232.tif 000011
【図１１】
0006630232.tif 000012
【図１２】
0006630232.tif 000013
【図１３Ａ】
0006630232.tif 000014
【図１３Ｂ】
0006630232.tif 000015
【図１４】
0006630232.tif 000016
【図１５】
0006630232.tif 000017
【図１６】
0006630232.tif 000018
【図１７】
0006630232.tif 000019